(57)【要約】【課題】アドレス消費電力の効率を上げるプラズマ表示装置及びその駆動方法を提供する。【解決手段】第１電圧Ｖａと第１電圧よりも低い第２電圧とを有するアドレスパルスが印加されるアドレス電極Ａと、複数の基板層を含む印刷回路基板と、印刷回路基板とアドレス電極との間に電気的に連結される複数のスイッチＳ１〜Ｓ３を含み、アドレス電極にアドレスパルスを印加するアドレス駆動回路３００’と、印刷回路基板に形成されており、第１電圧と第２電圧との間の第３電圧に充電されているキャパシタＣ１と、アドレス駆動回路とキャパシタとを連結する配線パターンによって印刷回路基板に形成され、配線パターンがアドレス駆動回路とキャパシタとの間の直線距離よりも長く形成されているインダクタＬと、を含む。【選択図】図５
2008116897.tif 000002
【特許請求の範囲】
【請求項１】
第１電圧と前記第１電圧よりも低い第２電圧とを有するアドレスパルスが印加されるアドレス電極と、
複数の基板層を含む印刷回路基板と、
前記印刷回路基板と前記アドレス電極との間に電気的に連結される複数のスイッチを含み、前記アドレス電極に前記アドレスパルスを印加するアドレス駆動回路と、
前記印刷回路基板に形成されており、前記第１電圧と前記第２電圧との間の第３電圧に充電されているキャパシタと、
前記アドレス駆動回路と前記キャパシタとを連結する配線パターンによって前記印刷回路基板に形成され、前記配線パターンが前記アドレス駆動回路と前記キャパシタとの間の直線距離よりも長く形成されているインダクタと、
を含むことを特徴とするプラズマ表示装置。
【請求項２】
前記インダクタの配線パターンは、波形曲線形状又は馬蹄形状に屈曲していることを特徴とする請求項１に記載のプラズマ表示装置。
【請求項３】
前記インダクタの配線パターンは、前記印刷回路基板を形成する何れか一つの基板層に形成されることを特徴とする請求項１又は請求項２に記載のプラズマ表示装置。
【請求項４】
前記インダクタの配線パターンは、前記印刷回路基板の複数の基板層にそれぞれ設けられる複数の配線部が互いに連結されて形成されることを特徴とする請求項１又は請求項２に記載のプラズマ表示装置。
【請求項５】
前記アドレス駆動回路は、
前記アドレス電極と第１電源との間に電気的に連結される第１スイッチと、
前記アドレス電極と第２電源との間に電気的に連結される第２スイッチと、
前記第１スイッチと前記アドレス電極との接点に第１端子が電気的に連結され、前記キャパシタに第２端子が電気的に連結される第３スイッチと、
を含むことを特徴とする請求項１に記載のプラズマ表示装置。
【請求項６】
前記第３スイッチを通じて、前記キャパシタが充電又は放電されることを特徴とする請求項５に記載のプラズマ表示装置。
【請求項７】
前記アドレスパルスに応じて、
前記アドレス期間の第１期間で前記第３スイッチが導通して、前記パネルキャパシタと前記インダクタとの間の共振によって、前記アドレス電極の電圧が前記第２電圧から前記第１電圧近傍まで増加して、
前記第１期間に続く第２期間で前記第１スイッチが導通して、前記アドレス電極の電圧が前記第１電圧を維持して、
前記第２期間に続く第３期間で前記第３スイッチが導通して、前記パネルキャパシタと前記インダクタとの間の共振によって、前記アドレス電極の電圧が前記第１電圧から前記第２電圧近傍まで減少して、
前記第３期間に続く第４期間で前記第２スイッチが導通して、前記アドレス電極の電圧が前記第２電圧を維持することを特徴とする請求項５に記載のプラズマ表示装置。
【請求項８】
前記第２電圧は、接地電圧であることを特徴とする請求項１に記載のプラズマ表示装置。
【請求項９】
前記第３電圧は、前記第１電圧と前記第２電圧との間の中間レベルの電圧であることを特徴とする請求項１に記載のプラズマ表示装置。
【請求項１０】
前記アドレス駆動回路は、集積回路に形成されることを特徴とする請求項１に記載のプラズマ表示装置。
【請求項１１】
前記アドレス駆動回路は、前記アドレス電極と前記印刷回路基板とを電気的に連結するテープキャリア方式集積回路に搭載されることを特徴とする請求項１に記載のプラズマ表示装置。
【請求項１２】
前記アドレス駆動回路は、前記テープキャリア方式集積回路に集積回路として搭載されることを特徴とする請求項１１に記載のプラズマ表示装置。
【請求項１３】
第１電圧と前記第１電圧よりも低い第２電圧とを有するアドレスパルスが印加されるアドレス電極と、前記アドレス電極と電気的に連結されて、前記第１電圧と前記第２電圧との間の第３電圧に充電されているキャパシタと、を含むプラズマ表示装置の駆動方法であって、
アドレス期間で、
前記アドレス電極と前記キャパシタとを連結するインダクタを通じて、前記キャパシタの前記第３電圧を前記アドレス電極に供給するステップと、
前記第１電圧を供給する第１電源と前記アドレス電極とを連結して、前記アドレス電極に前記第１電圧を供給するステップと、
前記インダクタを通じて、前記アドレス電極の電圧を前記キャパシタに回収するステップと、
前記第２電圧を供給する第２電源と前記アドレス電極とを連結して、前記アドレス電極に前記第２電圧を供給するステップと、を含み、
前記インダクタは、複数の基板層を含む印刷回路基板に配線パターンとして形成されることを特徴とするプラズマ表示装置の駆動方法。
【請求項１４】
前記インダクタの配線パターンは、前記印刷回路基板を形成する何れか一つの基板層に形成されることを特徴とする請求項１３に記載のプラズマ表示装置の駆動方法。
【請求項１５】
前記インダクタの配線パターンは、前記印刷回路基板の複数の基板層にそれぞれ設けられる複数の配線部が互いに連結されて形成されることを特徴とする請求項１３に記載のプラズマ表示装置の駆動方法。
【請求項１６】
前記第３電圧は、前記第１電圧と前記第２電圧との間の中間レベルの電圧であることを特徴とする請求項１３に記載のプラズマ表示装置の駆動方法。
【発明の詳細な説明】
【技術分野】
【０００１】
本発明は、プラズマ表示装置及びその駆動方法に関するものである。
【背景技術】
【０００２】
プラズマ表示装置は、気体放電によって生成されたプラズマを用いて、文字又は映像を表示する平面表示装置であって、その大きさにより数十から数百万個以上のピクセル（画素）がマトリックス（行列格子）形態に配列されている。
【０００３】
プラズマ表示装置では、１フレーム（１ＴＶフィールド）期間がそれぞれの加重値を有する複数のサブフィールド期間に分割されて駆動され、各サブフィールド期間（以後、“期間”を省略して“サブフィールド”と称する）は、時間的な動作変化で表現すれば、リセット期間、アドレス期間、及び維持期間から成る。
【０００４】
リセット期間は、セルにアドレシング動作が円滑に行われるようにするために各セルの状態を初期化させる期間であり、アドレス期間は、パネルで点灯されるセルと点灯されないセルを選別するために点灯されるセル（アドレシングされたセル）にアドレス電圧を印加して、壁電荷を蓄積する動作を行う期間である。つまり、アドレス期間では、複数の走査電極に順次に走査パルスが印加され、アドレス電極にアドレスパルスが印加される。この時、走査パルスとアドレスパルスとが同時に印加されたセルでアドレス放電が起こる。維持期間では、点灯されるセルで当該サブフィールドの加重値に対応する回数だけパルス状の維持放電が起こって画像が表示される。
【０００５】
一方、点灯されるセルと点灯されないセルとを区分するためにアドレス動作を行うことにおいて、アドレス放電のための電力以外にキャパシタンスに所定の電圧を発生させる無効電力が多く必要である。このとき、アドレス電極にアドレスデータを印加するためのスイッチのスイッチング回数が多い場合には、より一層アドレス電力が消費される。
【発明の開示】
【発明が解決しようとする課題】
【０００６】
本発明の課題は、アドレス消費電力の効率を上げるプラズマ表示装置及びその駆動方法を提供することにある。
【課題を解決するための手段】
【０００７】
本発明のプラズマ表示装置は、第１電圧と前記第１電圧よりも低い第２電圧とを有するアドレスパルスが印加されるアドレス電極と、複数の基板層を含む印刷回路基板と、前記印刷回路基板と前記アドレス電極との間に電気的に連結される複数のスイッチを含み、前記アドレス電極に前記アドレスパルスを印加するアドレス駆動回路と、前記印刷回路基板に形成されており、前記第１電圧と前記第２電圧との間の第３電圧に充電されているキャパシタと、前記アドレス駆動回路と前記キャパシタとを連結する配線パターンによって前記印刷回路基板に形成され、前記配線パターンが前記アドレス駆動回路と前記キャパシタとの間の直線距離よりも長く形成されているインダクタと、を含む。
【０００８】
本発明のプラズマ表示装置の駆動方法は、第１電圧と前記第１電圧よりも低い第２電圧とを有するアドレスパルスが印加されるアドレス電極と、前記アドレス電極と電気的に連結されて、前記第１電圧と前記第２電圧との間の第３電圧に充電されているキャパシタと、を含む。この駆動方法は、アドレス期間で、前記アドレス電極と前記キャパシタとを連結するインダクタを通じて、前記キャパシタの前記第３電圧を前記アドレス電極に供給するステップと、前記第１電圧を供給する第１電源と前記アドレス電極とを連結して、前記アドレス電極に前記第１電圧を供給するステップと、前記インダクタを通じて、前記アドレス電極の電圧を前記キャパシタに回収するステップと、前記第２電圧を供給する第２電源と前記アドレス電極とを連結して、前記アドレス電極に前記第２電圧を供給するステップと、を含む。このとき、前記インダクタは、複数の基板層を含む印刷回路基板に配線パターンとして形成される。
【発明の効果】
【０００９】
本発明のプラズマ表示装置及びその駆動方法によれば、印刷回路基板上に配線パターンで実現されるインダクタとパネルキャパシタとの間のＬＣ共振を用いて、アドレス電極にアドレス電圧を印加することによって、アドレス期間で消耗される電力量を少なくすることができ、プラズマ表示装置の電力効率を上げることができる。
【発明を実施するための最良の形態】
【００１０】
以下、添付した図面を参照して、本発明の好ましい実施形態について当業者が容易に実施することができるように詳細に説明する。しかしながら、本発明は多様に異なる形態で実現することができるので、ここで説明する実施形態に限定されるものではない。図面で本発明を明確に説明するために説明と関係ない部分は省略し、明細書全体を通じて類似した部分については類似した図面符号で示すものとする。また、明細書全体である部分が何らかの構成要素を“含む”とする時、これは特に反対になる記載がない限り他の構成要素を除くものではなく、他の構成要素をさらに包含できるものを意味する。
【００１１】
さて、本発明の実施形態によるプラズマ表示装置及びその駆動方法について図面を参照して詳細に説明する。
【００１２】
図１は、本発明の一実施形態によるプラズマ表示装置の概略的な平面図である。
【００１３】
図１に示すように本発明の一実施形態によるプラズマ表示装置は、プラズマ表示パネル１００、制御部２００、アドレス電極駆動部３００、走査電極駆動部４００、及び維持電極駆動部５００を含む。
【００１４】
プラズマ表示パネル１００は、列方向にのびている複数のアドレス電極Ａ１〜Ａｍと、行方向に互いに対を構成しながらのびている複数の維持電極Ｘ１〜Ｘｎ及び走査電極Ｙ１〜Ｙｎとを含む。維持電極Ｘ１〜Ｘｎは、各走査電極Ｙ１〜Ｙｎに対応して形成されており、維持電極Ｘ１〜Ｘｎと走査電極Ｙ１〜Ｙｎとが維持期間で画像を表示するための表示動作を行う。アドレス電極Ａ１〜Ａｍは、維持電極Ｘ１〜Ｘｎ及び走査電極Ｙ１〜Ｙｎと直交するように配置される。このとき、アドレス電極Ａ１〜Ａｍと走査電極Ｙ１〜Ｙｎ及び維持電極Ｘ１〜Ｘｎとの交差部にある放電空間がセル１２を形成する。このようなプラズマ表示パネル１００の構造は一例であり、後述する駆動方法が適用できる他の構造のパネルも本発明に適用される。
【００１５】
制御部２００は、外部から映像信号を受信して、アドレス電極駆動制御信号、維持電極駆動制御信号、及び走査電極駆動制御信号を出力する。そして、制御部２００は、１フレームを複数のサブフィールドに分割して駆動する。各サブフィールドは、時間的な動作変化に表現すれば、リセット期間、アドレス期間、及び維持期間から成る。
【００１６】
アドレス電極駆動部３００は、制御部２００からアドレス電極駆動制御信号を受信して表示しようとする放電セルを選択するための表示データ信号を各アドレス電極に印加する。
【００１７】
走査電極駆動部４００は、制御部２００から走査電極駆動制御信号を受信して、走査電極に駆動電圧を印加する。
【００１８】
維持電極駆動部５００は、制御部２００から維持電極駆動制御信号を受信して、維持電極に駆動電圧を印加する。
【００１９】
本実施形態によれば、走査及び維持電極駆動部４００，５００は、プラズマ表示パネル１００の後面に位置したボード（図示せず）に形成されている。アドレス電極駆動部３００の一部は、前記ボードとプラズマ表示パネル１００とを電気的に連結するテープキャリア方式集積回路（図６の図面符号７００）に搭載されている。
【００２０】
図２は、本発明の前提となる実施形態によるアドレス電極駆動部３００の回路図である。
【００２１】
図２に示すように、アドレス電極駆動部３００は、複数のアドレス電極にそれぞれ連結される複数のアドレス駆動回路３１０と、電力回収用キャパシタＣ１とを含む。図２では、説明の便宜上一つのアドレス電極に連結されているアドレス駆動回路３１０だけを示し、アドレス電極と走査電極との間に形成されるキャパシタンス成分はパネルキャパシタＣｐとして示した。そして、複数のアドレス駆動回路３１０の中で所定個数のアドレス駆動回路は、一つの集積回路形態に製作することができる。
【００２２】
アドレス駆動回路３１０は、第１〜第３スイッチＳ１〜Ｓ３を含む。図２では、第１〜第３スイッチＳ１〜Ｓ３をそれぞれ電界効果トランジスタ、絶縁ゲートバイポーラトランジスタなどで形成することができる。このとき、トランジスタにはそれぞれボディーダイオードを形成することができる。第３スイッチＳ３にボディーダイオードが形成される場合、ボディーダイオードによる経路を遮断するために、第３スイッチＳ３を背面合わせ形態（ｂａｃｋ−ｔｏ−ｂａｃｋ  ｆｏｒｍａｔ）に連結されたトランジスタで形成することができる。
【００２３】
第１スイッチＳ１は、アドレス電圧（第１電圧）Ｖａを供給するＶａ電源（第１電源）とパネルキャパシタＣｐのアドレス電極Ａとの間に連結されている。第２スイッチＳ２は、アドレス電圧よりも低い電圧（第２電圧）を供給する電源（第２電源）（図２では接地電圧を供給する接地線）とパネルキャパシタＣｐのアドレス電極Ａとの間に連結されている。
【００２４】
一方、アドレス電極Ａにオンデータが印加される場合、第１スイッチＳ１を導通させる信号が第１スイッチＳ１の制御端子に入力され、オフデータが印加される場合、第２スイッチＳ２を導通させる信号が第２スイッチＳ２の制御端子に入力される。また、第３スイッチＳ３は、パネルキャパシタＣｐのアドレス電極Ａと回収用キャパシタＣ１との間に連結されている。
【００２５】
そして、少なくとも一つの電力回収用キャパシタＣ１が複数のアドレス電極Ａ１〜Ａｍに共通に連結されてもよく、所定個数のアドレス電極毎に別個の電力回収用キャパシタＣ１が連結されてもよい。このとき、電力回収用キャパシタＣ１の大きさがパネルキャパシタＣｐに比べて大きく、第３スイッチＳ３が導通する場合、パネルキャパシタＣｐで充電又は放電される電流による電力回収用キャパシタＣ１の電圧変化が小さいものと仮定する。そして、電力回収用キャパシタＣ１は、Ｖａ電圧と０Ｖとの間の電圧、特に、Ｖａ／２電圧近傍の電圧（第３電圧）を供給するものと仮定する。
【００２６】
次に、図２のアドレス電極駆動部３００の動作について、図３、図４Ａ、及び図４Ｂを参照して詳細に説明する。
【００２７】
図３は、図２に示すアドレス電極に印加される駆動波形を生成するためのアドレス駆動回路３１０の信号タイミングを示した図面であり、図４Ａ及び図４Ｂは、図２に示すアドレス電極駆動部３００のアドレス電力供給動作およびアドレス電力回収動作をそれぞれ示した図面である。
【００２８】
ここで、図３に示す駆動波形は、図３のように、データが、１から０、０から１にアドレスデータが変化し続けるドットパターンを持つものと仮定した。
【００２９】
まず、第１期間Ｍ１が始まる前に、第２スイッチＳ２が導通して、パネルキャパシタＣｐの端子間電圧は０Ｖを維持し、電力回収用キャパシタＣ１にはアドレス電圧Ｖａの１／２だけの電圧（Ｖａ／２）が予め充電されていることと仮定する。
【００３０】
第１期間Ｍ１では、第３スイッチＳ３を導通して第２スイッチＳ２を遮断する。そうすれば、図４Ａに示すように、電力回収用キャパシタＣ１、第３スイッチＳ３、及びパネルキャパシタＣｐのアドレス電極Ａで電流経路（Ｉ）が形成される。この経路（Ｉ）によって、電力回収用キャパシタＣ１に充電された電圧がパネルキャパシタＣｐに充電されて、パネルキャパシタＣｐの電圧は、０ＶからＶａ／２電圧まで増加する。このとき、アドレス電極駆動部３００は、最大でパネルキャパシタＣｐの電圧を、電力回収用キャパシタＣ１に充電された電圧、つまり、Ｖａ／２電圧まで上昇させることができる。
【００３１】
次に、第２期間Ｍ２では、第３スイッチＳ３が遮断されて第１スイッチＳ１が導通する。そうすれば、図４Ａに示すように、Ｖａ電源、第１スイッチＳ１、及びパネルキャパシタＣｐのアドレス電極Ａで電流経路（II）が形成される。この経路（II）によって、パネルキャパシタＣｐのアドレス電極Ａにはハードスイッチング（ｈａｒｄ  ｓｗｉｔｃｈｉｎｇ）によってＶａ電圧が印加される。
【００３２】
第３期間Ｍ３では、第１スイッチＳ１が遮断されて第３スイッチＳ３が導通する。そうすれば、図４Ｂに示すように、パネルキャパシタＣｐ、第３スイッチＳ３、及び電力回収用キャパシタＣ１で電流経路（III）が形成される。この経路（III）によって、パネルキャパシタＣｐに充電された電圧が電力回収用キャパシタＣ１に回収されて、パネルキャパシタＣｐの電圧は、ＶａからＶａ／２電圧近傍まで減少する。このとき、アドレス電極駆動部３００は、電圧を上昇させるときと同様にパネルキャパシタＣｐの電圧を最大でＶａ／２電圧まで下降させる。
【００３３】
次に、第４期間Ｍ４では、第３スイッチＳ３が遮断されて第２スイッチＳ２が導通する。そうすれば、図４Ｂに示すように、パネルキャパシタＣｐ、第２スイッチＳ２、及び接地線で電流経路（IV）が形成される。この経路（IV）によって、パネルキャパシタＣｐのアドレス電極Ａには、ハードスイッチングによって０Ｖ電圧が印加される。
【００３４】
このように、第１期間Ｍ１は、無効消費電力を電力回収用キャパシタＣ１からパネルキャパシタＣｐに供給する期間であり、第３期間Ｍ３は、無効消費電力をパネルキャパシタＣｐから電力回収用キャパシタＣ１に再び回収する期間である。
【００３５】
このように、第３スイッチＳ３を導通又は遮断して、電力回収用キャパシタＣ１に電力を回収または供給することによって、スイッチングによるアドレス消費電力の消耗を減らせて、プラズマ表示装置の消費電力を減らせる。
【００３６】
次に、本発明の一実施形態について説明する。
【００３７】
本発明の一実施形態は、本発明の前提となる実施形態によるアドレス電極駆動部３００で、電力回収用キャパシタＣ１と第３スイッチＳ３との間にインダクタＬを追加する点を除いては、本発明の前提となる実施形態と同一である。
【００３８】
図５は、本発明の一実施形態によるアドレス電極駆動部３００’の回路図であり、図６は、図５に示すアドレス電極駆動部３００’を説明するための概略的な構成図である。
【００３９】
図５に示すように、アドレス電極駆動部３００’は、複数のアドレス電極にそれぞれ連結される複数のアドレス駆動回路３１０’、電力回収用キャパシタＣ１、及びインダクタＬを含む。図５及び図６では、説明の便宜上一つのアドレス電極に連結されているアドレス駆動回路３１０’だけを示し、アドレス電極と走査電極との間に形成されるキャパシタンス成分はパネルキャパシタＣｐとして示した。そして、複数のアドレス駆動回路３１０’の中で所定個数のアドレス駆動回路は一つの集積回路形態に製作される。
【００４０】
図６に示すように、図５に示すアドレス電極駆動部３００’は、パターニングされた印刷回路基板６００及び印刷回路基板６００とプラズマ表示パネル１００とを電気的に連結するテープキャリア方式集積回路７００（以下、“ＴＣＰＩＣ”）上に提供される。集積回路（ＩＣ）形態で構成されたアドレス駆動回路３１０’は、ＴＣＰＩＣ７００に内蔵されており、電力回収用キャパシタＣ１は、チップ形態に印刷回路基板６００を形成する何れか一つの基板層に装着される。また、図５に示すインダクタＬは、印刷回路基板６００上に多様な配線パターン３２０として形成される。このとき、インダクタＬの配線パターン３２０は、少なくともアドレス駆動回路３１０’と電力回収用キャパシタＣ１とを直線的に連結する距離（接続点ａから接続点ｂまでの距離）よりも長くなるように延々と折れ曲がった形態で実現される。図６では、電力回収用キャパシタＣ１とインダクタＬの配線パターン３２０とが同じ基板層にあるものとして示したが、電力回収用キャパシタＣ１とインダクタＬとは異なる基板層にあってもよい。
【００４１】
図７Ａ及び図７Ｂは、図６に示すインダクタＬの配線パターンの変形例を示した印刷回路基板の部分斜視図である。
【００４２】
図７Ａ及び図７Ｂに示すように、図６に示すインダクタＬの配線パターン３２０は螺旋形の渦巻き形状又は馬蹄形状などで実現でき、その太さと長さ、または折り曲げピッチによりインダクタンス成分を変えることができる。更に、絶縁層、できれば絶縁性軟磁性層にビアホールを形成し、裏面と表面とにビアホールを介して電気的に接続される導体パターンを形成すれば、扁平形のコイルも形成することができる。インダクタＬのインダクタンス成分が大きいほど電力回収効率が増加するので、インダクタＬの配線パターン３２０，３２０’，３２０”は太くて長いほど電力回収効率が増加する。
【００４３】
ここで、本発明の一実施形態によるインダクタＬの配線パターンはその形状が所定の波形曲線形状や馬蹄形状に限定されるものではなく、印刷回路基板６００自体にパターニングして、インダクタンスを調整できる全ての形態が適用可能である。
【００４４】
また、インダクタＬの配線パターンは、図６、図７Ａ、及び図７Ｂに示すように、印刷回路基板６００を形成する何れか一つの基板層に実現されてもよい。しかしながら、インダクタＬの配線パターンは、図８に示すように、複数の基板層に形成されてもよい。
【００４５】
図８は、図６に示すインダクタの配線パターンの変形例を示した印刷回路基板の分解斜視図である。
【００４６】
図８に示すように、配線パターン３２０は、印刷回路基板６００を形成する互いに異なる複数の基板層に同じ又は互いに異なる形状で屈曲するようにそれぞれ実現された複数の配線部３２１〜３２４を互いに連結して、その経路をより長く延長させるように形成される。したがって、印刷回路基板６００よりも小さい空間で配線パターン３２０の経路を立体的に延長させることができるようになる。
【００４７】
次に、図５及び図６のアドレス電極駆動部３００’の動作について、図９、図１０Ａ、及び図１０Ｂを参照して詳細に説明する。
【００４８】
図９は、図５に示すアドレス電極に印加される駆動波形を生成するためのアドレス駆動回路３１０’の信号タイミングを示した図面であり、図１０Ａ及び図１０Ｂは、図５に示すアドレス電極駆動部３００’のアドレス電力供給動作およびアドレス電力回収動作をそれぞれ示した図面である。
【００４９】
ここで、図９に示す駆動波形は、図９のように、データが、１から０、０から１にアドレスデータが変化し続けるドットパターンを持つものと仮定した。
【００５０】
まず、第１期間Ｔ１が始まる前に、第２スイッチＳ２が導通して、パネルキャパシタＣｐの端子間電圧は０Ｖを維持し、電力回収用キャパシタＣ１にはアドレス電圧Ｖａの１／２である電圧（Ｖａ／２）が予め充電されているものと仮定する。
【００５１】
第１期間Ｔ１では、第３スイッチＳ３を導通して第２スイッチＳ２を遮断する。そうすれば、図１０Ａに示すように、電力回収用キャパシタＣ１、インダクタＬ、第３スイッチＳ３、及びパネルキャパシタＣｐのアドレス電極Ａで電流経路（Ｉ）が形成される。この経路（Ｉ）によって、ＬＣ共振回路が形成されて電力回収用キャパシタＣ１に充電された電圧がパネルキャパシタＣｐで充電されて、パネルキャパシタＣｐの電圧は０ＶからＶａ電圧近傍まで増加する。
【００５２】
次に、第２期間Ｔ２では、第３スイッチＳ３が遮断されて第１スイッチＳ１が導通する。そうすれば、図１０Ａに示すように、Ｖａ電源、第１スイッチＳ１、及びパネルキャパシタＣｐのアドレス電極Ａで電流経路（II）が形成される。この経路（II）によって、パネルキャパシタＣｐのアドレス電極Ａには、Ｖａ電圧が印加される。
【００５３】
第３期間Ｔ３では、第１スイッチＳ１が遮断されて第３スイッチＳ３が導通する。そうすれば、図１０Ｂに示すように、パネルキャパシタＣｐ、第３スイッチＳ３、インダクタＬ、及び電力回収用キャパシタＣ１で電流経路（III）が形成される。この経路（III）によって、ＬＣ共振回路が形成されてパネルキャパシタＣｐに充電された電圧が電力回収用キャパシタＣ１で回収されて、パネルキャパシタＣｐの電圧はＶａ電圧から０Ｖ電圧近傍まで減少する。このとき、電力回収用キャパシタＣ１には、Ｖａ電圧に近い電力が回収されて、これは本発明の前提となる実施形態でＶａ／２電圧が回収されることより回収効率が高い。
【００５４】
次に、第４期間Ｔ４では、第３スイッチＳ３が遮断されて第２スイッチＳ２が導通する。そうすれば、図１０Ｂに示すように、パネルキャパシタＣｐ、第２スイッチＳ２、及び接地線で電流経路（IV）が形成される。この経路（IV）によって、パネルキャパシタＣｐのアドレス電極Ａには０Ｖ電圧が印加される。
【００５５】
このように、本発明の一実施形態では第１及び第３期間Ｔ１，Ｔ３間のＬＣ共振を用いて、電力回収用キャパシタＣ１とパネルキャパシタＣｐとの間の充電電圧を回収又は供給するため、本発明の前提となる実施形態よりも電力回収効率が高い。また、第３スイッチＳ３を導通又は遮断して、電力回収用キャパシタＣ１で電力を回収又は供給することによって、スイッチングによるアドレス消費電力の消耗を減らせて、プラズマ表示装置の消費電力を減らせる。
【００５６】
以上、本発明の好ましい実施形態について説明したが、本発明の権利範囲はこれに限定されるものではなく、特許請求の範囲と発明の詳細な説明及び添付した図面の範囲内で多様に変形して実施するのが可能であり、これもまた本発明の範囲に属することは当然である。
【図面の簡単な説明】
【００５７】
【図１】本発明の一実施形態によるプラズマ表示装置の概略的な平面図である。
【図２】本発明の前提となる実施形態によるアドレス電極駆動部の回路図である。
【図３】図２に示すアドレス電極に印加される駆動波形を生成するためのアドレス駆動回路の信号タイミングを示した図面である。
【図４Ａ】図２に示すアドレス電極駆動部のアドレス電力供給動作を示した図面である。
【図４Ｂ】図２に示すアドレス電極駆動部のアドレス電力回収動作を示した図面である。
【図５】本発明の一実施形態によるアドレス電極駆動部の回路図である。
【図６】図５に示すアドレス電極駆動部を説明するための概略的な構成図である。
【図７Ａ】図６に示すインダクタの配線パターンの変形例を示した印刷回路基板の部分斜視図である。
【図７Ｂ】図６に示すインダクタの配線パターンの変形例を示した印刷回路基板の部分斜視図である。
【図８】図６に示すインダクタの配線パターンの変形例を示した印刷回路基板の分解斜視図である。
【図９】図５に示すアドレス電極に印加される駆動波形を生成するためのアドレス駆動回路の信号タイミングを示した図面である。
【図１０Ａ】図５に示すアドレス電極駆動部のアドレス電力供給動作を示した図面である。
【図１０Ｂ】図５に示すアドレス電極駆動部のアドレス電力回収動作を示した図面である。
【符号の説明】
【００５８】
１２    セル、
１００    プラズマ表示パネル、
２００    制御部、
３００，３００’    アドレス電極駆動部、
４００    走査電極駆動部、
５００    維持電極駆動部、
６００    印刷回路基板、
７００    テープキャリア方式集積回路、
Ａ１〜Ａｍ    アドレス電極、
Ｘ１〜Ｘｎ    維持電極、
Ｙ１〜Ｙｎ    走査電極。
【図１】
2008116897.tif 000003
【図２】
2008116897.tif 000004
【図３】
2008116897.tif 000005
【図４Ａ】
2008116897.tif 000006
【図４Ｂ】
2008116897.tif 000007
【図５】
2008116897.tif 000008
【図６】
2008116897.tif 000009
【図７Ａ】
2008116897.tif 000010
【図７Ｂ】
2008116897.tif 000011
【図８】
2008116897.tif 000012
【図９】
2008116897.tif 000013
【図１０Ａ】
2008116897.tif 000014
【図１０Ｂ】
2008116897.tif 000015